(57)【要約】【課題】通話セッション中に通話に用いる装置を切り換えて通話を継続する。【解決手段】携帯端末装置１は、ネットＴＶ電話の通話セッション中に、表示装置２に命令を送信して通話セッションに参加させると共に、この通話セッションから、携帯端末装置１を離脱させる切換制御部２３を備えている。【選択図】図１
2013093776.tif 000002
【特許請求の範囲】
【請求項１】
少なくとも音声を相互に送受信するための通話セッションを確立して通信相手装置と通信を行う通信装置であって、
上記通話セッション中に、切換先装置に命令を送信して、該切換先装置を上記通話セッションに参加させる参加命令送信手段と、
上記参加命令送信手段が上記切換先装置を参加させた上記通話セッションから離脱する離脱手段と、を備えていることを特徴とする通信装置。
【請求項２】
上記離脱手段は、上記切換先装置との通信内容から、該切換先装置が上記通話セッションに参加したことを判断し、上記切換先装置が上記通話セッションに参加したと判断したときに、当該通話セッションから離脱することを特徴とする請求項１に記載の通信装置。
【請求項３】
上記命令は、上記通話セッションを提供するサービスへのログインを行わせる命令を含むことを特徴とする請求項１または２に記載の通信装置。
【請求項４】
上記通話セッションは、テレビ電話の通話セッションであり、
上記命令は、上記テレビ電話に使用するカメラおよびマイクの少なくとも何れかの起動命令を含むことを特徴とする請求項１から３の何れか１項に記載の通信装置。
【請求項５】
上記切換先装置の候補となる候補装置について、該候補装置との通信に必要な通信設定情報を格納する記憶部を備え、
上記参加命令送信手段は、上記候補装置の中から選択された上記切換先装置に、上記通信設定情報を用いて上記命令を送信し、該切換先装置を上記通話セッションに参加させることを特徴とする請求項１から４の何れか１項に記載の通信装置。
【請求項６】
少なくとも音声を相互に送受信するための通話セッションを確立して通信相手装置と通信を行う通信装置による通信方法であって、
上記通話セッション中に、切換先装置に命令を送信して、該切換先装置を上記通話セッションに参加させる参加命令送信ステップと、
上記参加命令送信ステップにて上記切換先装置を参加させた上記通話セッションから離脱する離脱ステップと、を含むことを特徴とする通信方法。
【請求項７】
請求項１から５の何れか１項に記載の通信装置を動作させるための制御プログラムであって、コンピュータを上記各手段として機能させるための制御プログラム。
【請求項８】
請求項７に記載の制御プログラムを記録したコンピュータ読み取り可能な記録媒体。
【請求項９】
少なくとも音声を相互に送受信するための通話セッションを確立して通信相手装置と通信を行うテレビジョン受像機であって、
上記通話セッション中に、切換先装置に命令を送信して、該切換先装置を上記通話セッションに参加させる参加命令送信手段と、
上記参加命令送信手段が上記切換先装置を参加させた上記通話セッションから離脱する離脱手段と、を備えていることを特徴とするテレビジョン受像機。
【発明の詳細な説明】
【技術分野】
【０００１】
本発明は、テレビ電話等における通信セッションに参加している機器を切り換える技術に関する。
【背景技術】
【０００２】
近年、インターネットを介してテレビ電話を行うことのできる機器が普及し、気軽にインターネットＴＶ電話（以下、ネットＴＶ電話と呼ぶ）を行える環境が整いつつある。例えば、カメラ・マイクを搭載し、テレビ電話用のアプリケーションソフトがプリインストールされたテレビ等も市販されている。また、スマートフォンやタブレット端末等の携帯通信端末では、無線ＬＡＮ機能を搭載してインターネットに接続可能としたものが市販されており、移動しながらのネットＴＶ電話も身近なものとなりつつある。
【０００３】
このように、様々な機器でネットテレビ電話による通話が可能になることにより、ある機器で行っていた通話を他の機器で引き継ぎたい、という新たなニーズが生まれることが予想される。
【０００４】
例えば、スマートフォンでネットＴＶ電話による通話を行っているときに、そのスマートフォンの電池残量が少なくなってしまうと、通話を一時終了しなければならなくなる。このような場合に、ネットＴＶ電話による通話が可能なテレビに通話を転送して、ネットＴＶ電話を継続できれば便利である。
【０００５】
また、例えば、テレビにてネットＴＶ電話による通話を行っているときに、テレビのある場所から移動しなければならなくなった場合、通話を一時終了しなければならなくなる。このような場合に、ネットＴＶ電話による通話が可能なスマートフォンに通話を転送して、ネットＴＶ電話を継続できれば便利である。
【０００６】
ここで、通話の転送に関する従来技術としては、例えば下記の特許文献１が挙げられる。特許文献１には、留守中にビデオコールを受信したときに、音声を携帯端末装置に転送するテレビ会議端末装置が開示されている。
【先行技術文献】
【特許文献】
【０００７】
【特許文献１】特開２００２−３３５５０２号公報（２００２年１１月２２日公開）
【発明の概要】
【発明が解決しようとする課題】
【０００８】
しかしながら、上述のような従来技術は、留守設定時にテレビ会議端末装置が中継装置となって受話音声を転送するものであって、テレビ電話に使用する機器を切り換えるものではなく、上記のようなニーズに答えるものではない。
【０００９】
すなわち、上記特許文献１の発明は、テレビ会議端末装置が設置されている場所にユーザがいない（つまり留守）のときに音声の転送を行うものであり、留守設定のときには転送が行われ、留守設定されていないときには転送は行われない。したがって、留守設定のときにはテレビ会議端末装置ではテレビ電話が行われず、留守設定ではないときには携帯端末装置では通話が行われない。
【００１０】
また、上記特許文献１の発明では、テレビ会議端末装置は、携帯端末装置を用いた通話時においても音声の転送処理を行う必要があり、通話に関する処理から離脱されない。つまり、通話に用いる機器が完全には切り換わらない。
【００１１】
本発明は、上記の問題点に鑑みてなされたものであり、その目的は、通話セッション中に、通話に用いる機器を切換先装置に切り換えて、切換先装置にて切り換え前の通話を継続することのできる通信装置等を提供することにある。
【課題を解決するための手段】
【００１２】
上記の課題を解決するために、本発明の通信装置は、少なくとも音声を相互に送受信するための通話セッションを確立して通信相手装置と通信を行う通信装置であって、上記通話セッション中に、切換先装置に命令を送信して、該切換先装置を上記通話セッションに参加させる参加命令送信手段と、上記参加命令送信手段が上記切換先装置を参加させた上記通話セッションから離脱する離脱手段と、を備えていることを特徴としている。
【００１３】
また、本発明の通信方法は、上記の課題を解決するために、少なくとも音声を相互に送受信するための通話セッションを確立して通信相手装置と通信を行う通信装置による通信方法であって、上記通話セッション中に、切換先装置に命令を送信して、該切換先装置を上記通話セッションに参加させる参加命令送信ステップと、上記参加命令送信ステップにて上記切換先装置を参加させた上記通話セッションから離脱する離脱ステップと、を含むことを特徴としている。
【００１４】
そして、本発明のテレビジョン受像機は、上記の課題を解決するために、少なくとも音声を相互に送受信するための通話セッションを確立して通信相手装置と通信を行うテレビジョン受像機であって、上記通話セッション中に、切換先装置に命令を送信して、該切換先装置を上記通話セッションに参加させる参加命令送信手段と、上記参加命令送信手段が上記切換先装置を参加させた上記通話セッションから離脱する離脱手段と、を備えていることを特徴としている。
【００１５】
上記の構成によれば、通信装置またはテレビジョン受像機は、通信相手装置との通話セッション中に切換先装置に命令を送信して通話セッションに参加させると共に、この通話セッションから離脱する。
【００１６】
すなわち、上記の構成によれば、通信相手装置と通信装置またはテレビジョン受像機との間の通話セッションが、通信相手装置と切換先装置とに引き継がれる。したがって、上記通信装置またはテレビジョン受像機のユーザは、この通信装置またはテレビジョン受像機を用いた通話中に、通話に用いる装置を上記切換先装置に切り換えて通話を継続することができる。
【００１７】
また、上記通信装置およびテレビジョン受像機は、上記特許文献１のテレビ会議端末装置のように、受話音声の転送を行うものではないため、通話セッションから離脱後は、この通話セッションに関する処理から開放される。したがって、上記通信装置またはテレビジョン受像機にかかる処理の負荷および消費電力は、上記特許文献１のテレビ会議端末装置と比べて低減される。
【００１８】
また、上記離脱手段は、上記切換先装置との通信内容から、該切換先装置が上記通話セッションに参加したことを判断し、上記切換先装置が上記通話セッションに参加したと判断したときに、当該通話セッションから離脱することが好ましい。
【００１９】
上記の構成によれば、切換先装置が通話セッションに参加したと判断したときに、当該通話セッションから離脱するため、切り換え時の通話途切れを確実に防ぐことができる。
【００２０】
ここで、上記通話セッションがネットワーク上のサービスによって提供されている場合、切換先装置は、このサービスへのログインを行わなければ、通話セッションに参加することができない。
【００２１】
このため、上記命令は、上記通話セッションを提供するサービスへのログインを行わせる命令を含むことが好ましい。
【００２２】
上記の構成によれば、サービスへのログインを行わせる命令を切換先装置に送信するので、切換先装置はこの命令に従ってログインを行う。したがって、通話セッションがネットワーク上のサービスによって提供されている場合であっても、ユーザは切換先装置に対して何らの操作を行うことなく、通話に用いる装置を切換先装置に切り換えて通話を継続することができる。なお、ログインに必要な情報（ＩＤやパスワード）は、切換先装置に予め格納しておいてもよいし、通信装置から切換先装置に通知してもよい。
【００２３】
また、上記通話セッションは、テレビ電話の通話セッションであり、上記命令は、上記テレビ電話に使用するカメラおよびマイクの少なくとも何れかの起動命令を含むことが好ましい。
【００２４】
上記の構成によれば、テレビ電話の通話セッションに使用するカメラおよびマイクの少なくとも何れかの起動命令を切換先装置に送信するので、切換先装置はこの命令に従ってカメラおよびマイクの少なくとも何れかを起動する。したがって、ユーザは切換先装置に対して何らの操作を行うことなく、通話に用いる装置を切換先装置に切り換えてテレビ電話による通話を継続することができる。
【００２５】
また、上記通信装置は、上記切換先装置の候補となる候補装置について、該候補装置との通信に必要な通信設定情報を格納する記憶部を備え、上記参加命令送信手段は、上記候補装置の中から選択された上記切換先装置に、上記通信設定情報を用いて上記命令を送信し、該切換先装置を上記通話セッションに参加させることが好ましい。
【００２６】
上記の構成によれば、切換先装置の候補となる候補装置については、該候補装置との通信に必要な通信設定情報が記憶部に格納されている。そして、この候補装置の中から切換先装置が選択されると、その切換先装置に、上記記憶部に格納されている通信設定情報を用いて命令を送信して通話セッションに参加させる。
【００２７】
したがって、通信装置で行っていた通話を、候補装置の中から選択した切換先装置で引き継ぐことができる。また、通信のために予め定められた通信設定情報が必要な機器（例えば無線ＬＡＮ機器）を切換先装置とすることができる。
【００２８】
なお、上記通信装置は、コンピュータによって実現してもよく、この場合には、コンピュータを上記通信装置の各手段として動作させることにより、上記通信装置をコンピュータにて実現させる制御プログラム、及びそれを記録したコンピュータ読み取り可能な記録媒体も本発明の範疇に入る。
【発明の効果】
【００２９】
以上のように、本発明の通信装置は、通話セッション中に、切換先装置に命令を送信して、該切換先装置を上記通話セッションに参加させる参加命令送信手段と、上記参加命令送信手段が上記切換先装置を参加させた上記通話セッションから離脱する離脱手段と、を備えている構成である。
【００３０】
また、本発明の通信方法は、以上のように、通話セッション中に、切換先装置に命令を送信して、該切換先装置を上記通話セッションに参加させる参加命令送信ステップと、上記参加命令送信ステップにて上記切換先装置を参加させた上記通話セッションから離脱する離脱ステップと、を含む構成である。
【００３１】
そして、本発明のテレビジョン受像機は、以上のように、通話セッション中に、切換先装置に命令を送信して、該切換先装置を上記通話セッションに参加させる参加命令送信手段と、上記参加命令送信手段が上記切換先装置を参加させた上記通話セッションから離脱する離脱手段と、を備えている構成である。
【００３２】
したがって、通話セッション中に、通話に用いる装置を切換先装置に切り換えて、切換先装置にて切り換え前の通話を継続することができるという効果を奏する。
【図面の簡単な説明】
【００３３】
【図１】本発明の一実施形態にかかるテレビ電話転送システムに含まれる携帯端末装置および表示装置の要部構成の一例を示すブロック図である。
【図２】上記テレビ電話転送システムの概要を示す図であり、同図（ａ）は上記携帯端末装置を用いたテレビ電話時の転送の一例を示し、同図（ｂ）は上記表示装置を用いたテレビ電話時の転送の一例を示している。
【図３】上記携帯端末装置および上記表示装置のハードウェア構成の一例を示すブロック図である。
【図４】上記テレビ電話転送システムにおける、ネットＴＶ電話に使用する装置の切り換え態様を説明する図であり、同図（ａ）は切り換え前の状態を示し、同図（ｂ）は切り換え中の状態を示し、同図（ｃ）は切り換え後の状態を示している。
【図５】ネットＴＶ電話で使用する通信経路の一例を示す図であり、上記携帯端末装置が無線ＬＡＮを介した通信でネットＴＶ電話を行う場合の通信経路の一例を示している。
【図６】ネットＴＶ電話で使用する通信経路の一例を示す図であり、上記携帯端末装置が３Ｇ／ＬＴＥ基地局を介した通信でネットＴＶ電話を行う場合の通信経路の一例を示している。
【図７】上記テレビ電話転送システムにおいて、ネットＴＶ電話の切り換え元が実行する処理の一例を示すフローチャートである。
【図８】上記テレビ電話転送システムにおいて、ネットＴＶ電話の切り換え元が上記携帯端末装置である場合の切り換え先候補の表示例を示している。
【図９】上記テレビ電話転送システムにおいて、ネットＴＶ電話の切り換え元が上記表示装置である場合の切り換え先候補の表示例を示している。
【図１０】上記テレビ電話転送システムにおいて、ネットＴＶ電話の切り換え元が実行する切換処理の一例を示すフローチャートである。
【図１１】上記携帯端末装置が上記切換処理の際に表示するエラー画面例を示している。
【図１２】上記表示装置が上記切換処理の際に表示するエラー画面例を示している。
【図１３】上記テレビ電話転送システムにおいて、ネットＴＶ電話の切り換え先が実行する切換処理の一例を示すフローチャートである。
【図１４】ネットＴＶ電話の切り換え先の登録設定を説明する図であり、機器検出を行って切り換え先を登録する例を示している。
【図１５】ネットＴＶ電話の切り換え先の登録設定を説明する図であり、登録先機器と直接通信して登録を行う例を示している。
【発明を実施するための形態】
【００３４】
以下、本発明の実施の形態について、図１〜図１５に基づいて詳細に説明する。
【００３５】
〔システム概要〕
まず、本実施形態にかかるテレビ電話転送システムの概要を図２に基づいて説明する。図２は、テレビ電話転送システム５０の概要を示す図であり、同図（ａ）は携帯端末装置（通信装置、切換先装置）１を用いたテレビ電話時の転送の一例を示し、同図（ｂ）は表示装置（通信装置、切換先装置）２を用いたテレビ電話時の転送の一例を示している。
【００３６】
同図（ａ）（ｂ）に示すように、テレビ電話転送システム５０は、携帯端末装置１と表示装置２とを含むシステムである。本実施形態では、携帯端末装置１がスマートフォンであり、表示装置２がテレビジョン受像機である例を説明する。この携帯端末装置１と表示装置２は、一般的なスマートフォンおよびテレビジョン受像機（以下、単にテレビと呼ぶ）と同様の機能を備えていると共に、何れも単体でテレビ電話を行う機能を備えている。また、何れも無線通信によりＬＡＮ（Local Area Network）に接続が可能であり、このＬＡＮを介して相互に通信を行うことができる。
【００３７】
テレビ電話転送システム５０では、携帯端末装置１と表示装置２の何れか一方を用いて行っていたネットＴＶ電話による通話を、極めて容易に他方に転送して、引き継ぐことができる。
【００３８】
例えば、同図（ａ）の例のように、携帯端末装置１でのネットＴＶ電話による通話時に、電池残量が少なくなった場合に、テレビ電話の通話をＬＡＮ経由で表示装置２に転送することができる。これにより、ユーザは、表示装置２を用いてネットＴＶ電話による通話を継続することができる。
【００３９】
また、同図（ｂ）の例のように、表示装置２でのネットＴＶ電話による通話時に、表示装置２から離れる必要が生じた場合に、ネットＴＶ電話の通話をＬＡＮ経由で携帯端末装置１に転送することができる。これにより、ユーザは、表示装置２から離れた場所においても、携帯端末装置１を用いてネットＴＶ電話による通話を継続することができる。
【００４０】
〔ハードウェア構成〕
続いて、携帯端末装置１および表示装置２のハードウェア構成を図３に基づいて説明する。図３は、携帯端末装置１および表示装置２のハードウェア構成の一例を示すブロック図である。
【００４１】
図示のように、携帯端末装置１は、記憶部１０、制御部１１、近距離通信Ｉ／Ｆ１２、無線通信Ｉ／Ｆ１３、携帯網通信Ｉ／Ｆ１４、ＮＷ選択部１５、表示部１６、スピーカ１７、カメラ１８、およびマイク１９を備えている。
【００４２】
記憶部１０は、携帯端末装置１で使用される各種データを格納するものであり、ＲＯＭ（Read Only Memory）で構成してもよい。また、記憶部１０として、ＲＡＭ（Random Access Memory）やＨＤＤ（Hard Disk Drive）等を備えていてもよい。なお、同図では記憶部１０を１つのブロックとして記載しているが、ＲＯＭ、ＲＡＭ、およびＨＤＤ等のような複数のブロックで構成されていてもよい。
【００４３】
制御部１１は、携帯端末装置１の動作を統括して制御するものであり、ＣＰＵ（Central Processing Unit）で構成してもよい。
【００４４】
近距離通信Ｉ／Ｆ１２は、近距離無線通信を行うための通信インターフェースである。近距離無線通信の方式は特に限定されず、例えば、ＩｒＳＳ（Ir Simple Shot）、Ｆｅｌｉｃａ、Ｂｌｕｅｔｏｏｔｈ、ＺｉｇＢｅｅ（何れも登録商標）、ＮＦＣ（Near Field Communication）等の通信インターフェースであってもよい。
【００４５】
無線通信Ｉ／Ｆ１３は、ＬＡＮに無線接続して通信を行うための通信インターフェースである。ここでは、図示のように、ルーター３を介することによって、無線通信Ｉ／Ｆ１３から表示装置２と通信を行う。また、ルーター３を介することによって、無線通信Ｉ／Ｆ１３からクラウド（インターネット等のネットワーク上で提供されるサービス）と通信を行う。
【００４６】
携帯網通信Ｉ／Ｆ１４は、携帯電話網を介して通信を行うための通信インターフェースである。携帯端末装置１は、携帯網通信Ｉ／Ｆ１４を介した通信によって、電話による通話、電子メール等の送受信、クラウドのようなサービスの利用をすることができる。ここでは、上記携帯電話網が３Ｇ網である例を説明するが、この例に限定されない。
【００４７】
ＮＷ選択部１５は、制御部１１の制御に従って、無線通信Ｉ／Ｆ１３を介した通信を行うか、携帯網通信Ｉ／Ｆ１４を介した通信を行うかを選択する。
【００４８】
表示部１６は、制御部１１の制御に従って画像（動画像または静止画像）を表示するものである。スピーカ１７は、制御部１１の制御に従って音声を出力するものである。カメラ１８は制御部１１の制御に従って画像（動画像または静止画像）を撮影するものである。マイク１９は制御部の制御に従って音声の入力を受け付けるものである。
【００４９】
テレビ電話時には、携帯端末装置１のユーザの発した音声およびカメラ１８で撮影された映像が、ネットＴＶ電話の通信相手装置に送信される。また、この通信相手装置のユーザの発した音声がスピーカ１７から出力され、この通信相手装置から受信した映像が表示部１６に表示される。
【００５０】
一方、表示装置２は、図示のように、記憶部３０、制御部３１、近距離通信Ｉ／Ｆ３２、無線通信Ｉ／Ｆ３３、表示部３６、スピーカ３７、カメラ３８、およびマイク３９を備えている。
【００５１】
記憶部３０は、表示装置２で使用される各種データを格納するものであり、ＲＯＭで構成してもよい。また、記憶部３０として、ＲＡＭやＨＤＤ等を備えていてもよい。なお、同図では記憶部３０を１つのブロックとして記載しているが、ＲＯＭ、ＲＡＭ、およびＨＤＤ等のような複数のブロックで構成されていてもよい。
【００５２】
制御部３１は、表示装置２の動作を統括して制御するものであり、ＣＰＵで構成してもよい。
【００５３】
近距離通信Ｉ／Ｆ３２は近距離無線通信を行うための通信インターフェースであり、無線通信Ｉ／Ｆ３３はＬＡＮに無線接続して通信を行うための通信インターフェースである。表示装置２はこれらの通信インターフェースを介して携帯端末装置１と通信を行うことができる。つまり、近距離通信Ｉ／Ｆ３２は、携帯端末装置１の近距離通信Ｉ／Ｆ１２と近距離無線通信を行うことができるものであり、無線通信Ｉ／Ｆ３３は、ルーター３を介して携帯端末装置１の無線通信Ｉ／Ｆ１３と無線通信を行うことができるものである。
【００５４】
表示部３６は、制御部３１の制御に従って画像（動画像または静止画像）を表示するものである。スピーカ３７、カメラ３８、およびマイク３９は、携帯端末装置１のスピーカ１７、カメラ１８、およびマイク１９とそれぞれ同様の機能および構成を有している。なお、これらの構成は、表示装置２に内蔵されていてもよいし、外付けされていてもよい。
【００５５】
ルーター３は、携帯端末装置１および表示装置２が接続するＬＡＮにおける情報の送受信を中継する中継装置である。上述のように、ＬＡＮ内では、携帯端末装置１と表示装置２は、ルーター３を介して通信を行う。また、携帯端末装置１と表示装置２は、ルーター３を介してインターネット等のＬＡＮ外のネットワークに接続することもできる。
【００５６】
〔要部構成〕
続いて、携帯端末装置１および表示装置２のより詳細な構成を図１に基づいて説明する。図１は、携帯端末装置１および表示装置２の要部構成の一例を示すブロック図である。なお、図１では、図３に示したブロックの一部について図示を省略している。
【００５７】
図示のように、携帯端末装置１の記憶部１０には、ログイン情報２０と接続機器情報２１とが格納されている。また、制御部１１は、テレビ電話制御部２２、切換制御部（参加命令送信手段、離脱手段）２３、機器検出部２４、および機器登録部２５を備えている。
【００５８】
ログイン情報２０は、ネットＴＶ電話による通話を開始するために必要な情報である。具体的には、ここでは、テレビ電話制御部２２を起動させ、ログインＩＤとログインパスワードとを入力することによって、ネットＴＶ電話による通話が可能になることを想定している。このため、ログインＩＤとログインパスワードがログイン情報２０として格納されている。なお、ログイン情報２０は、ネットＴＶ電話による通話を開始するために必要な情報であればよく、ネットＴＶ電話開始のための仕様等に応じた情報であればよい。
【００５９】
接続機器情報２１は、携帯端末装置１とペアリング済みの機器に関する情報であり、該機器と通信するための通信設定を示す通信設定情報を含む。接続機器情報２１を参照することによって、携帯端末装置１と無線通信可能な機器を特定することができると共に、接続機器情報２１に含まれる通信設定情報を用いて当該機器と無線通信することができる。接続機器情報２１が格納されている機器は、通話引き継ぎの候補装置となる。なお、ペアリングとは、無線通信を行うために必要な処理であり、ペアリングによって無線通信を行う双方の機器に共通の通信設定情報が記録され、これにより無線通信が可能になる。
【００６０】
テレビ電話制御部２２は、テレビ電話、より詳細にはインターネットを介したテレビ電話であるネットＴＶ電話に関する制御全般を行う。携帯端末装置１は、ネットＴＶ電話専用の装置ではないため、テレビ電話制御部２２はネットＴＶ電話の際に起動させる構成となっている。そして、テレビ電話制御部２２は、起動すると、ログインＩＤおよびログインパスワードの入力を求める表示を行い、これらの入力が正しく行われると、ネットＴＶ電話を提供するサービスへのログイン成功となり、ネットＴＶ電話の発信および着信の待ち受け状態となる。テレビ電話制御部２２は、例えばネットＴＶ電話用のアプリケーションソフトをインストールすることによって実現することもできる。
【００６１】
切換制御部２３は、通話セッションを他の装置に引き継がせる処理、言い換えれば、通話セッションの実行主体を携帯端末装置１から他の装置に切り換える処理を行う。切換制御部２３が実行する処理の詳細は後述する。
【００６２】
機器検出部２４は、ペアリング済み機器のＬＡＮへの接続状態を検出する。また、携帯端末装置１が無線通信Ｉ／Ｆ１３を介して無線通信可能な機器を検出する。なお、ＬＡＮへの接続状態の検出は、接続機器情報２１を参照して特定したペアリング済みの各機器に対して応答要求を送信することによって行われる。具体的には、送信した応答要求に対して応答（例えばＡＣＫパケット）を受信したときには、その機器は接続中と検出する。一方、所定時間内に応答が受信されないか、ＮＡＣＫパケットを受信したときには、その機器は接続中ではないと検出する。
【００６３】
機器登録部２５は、携帯端末装置１が無線通信Ｉ／Ｆ１３を介して無線通信可能な機器とペアリングを行って接続機器情報２１を生成する。詳細は後述するが、ペアリング対象となる機器は、機器検出部２４が検出した機器であってもよいし、近距離通信Ｉ／Ｆ１２による通信等で特定された機器であってもよい。
【００６４】
一方、表示装置２の記憶部３０には、ログイン情報４０と接続機器情報４１とが格納されている。また、制御部３１には、テレビ電話制御部４２、切換制御部４３、機器検出部４４、および機器登録部４５が含まれている。
【００６５】
このログイン情報４０および接続機器情報４１は、携帯端末装置１の記憶部１０に格納されているログイン情報２０および接続機器情報２１と同様の情報である。すなわち、ログイン情報４０は、表示装置２にてテレビ電話を開始する際に必要なログインＩＤおよびパスワードを含む情報である。また、接続機器情報４１は、表示装置２とペアリング済みの機器に関する情報であり、該機器と通信するための通信設定を示す情報である。
【００６６】
なお、ログイン情報４０に含まれるログインＩＤおよびパスワードは、ログイン情報２０に含まれるログインＩＤおよびパスワードとは異なっているものとする。つまり、携帯端末装置１と表示装置２とは、それぞれ別のアカウントでログインする。これは、携帯端末装置１と表示装置２の両方が同時に通話セッションに参加した状態となることを許容するためである。
【００６７】
このため、携帯端末装置１と表示装置２の両方において同一のログインＩＤで同時にログインして通話することが可能な仕様となっていれば、ログイン情報４０に含まれるログインＩＤおよびパスワードは、ログイン情報２０に含まれるものと同じであってもよい。同じログインＩＤおよびパスワードの使用が可能である場合には、携帯端末装置１から、ログインＩＤおよびパスワードを表示装置２に通知し、これを用いてログインすることが可能であるから、表示装置２はログイン情報４０を格納していなくともよい。
【００６８】
なお、携帯端末装置１において、複数のアカウントのそれぞれに対応するログインＩＤおよびパスワードを格納しておき、使用中でないアカウントに対応するログインＩＤおよびパスワードを表示装置２に通知し、これを用いてログインさせてもよい。このような構成とした場合、同一のアカウントで同時にログインできない仕様であっても、表示装置２はログイン情報４０を格納していなくともよい。
【００６９】
また、携帯端末装置１と表示装置２の両方において同一のアカウントの同時使用が可能である場合には、このアカウントを利用して、切り換え先の選択を自動化することもできる。つまり、現在使用しているアカウントと同じアカウントを使用する装置を自動的に特定して、この装置を切り換え先としてもよい。これにより、ユーザの切り換え先選択の手間が省けると共に、切り換え先においても同じアカウントで通話を継続させることができる。
【００７０】
具体的には、切り換え先（例えば携帯端末装置１）で使用するアカウント（ログインＩＤおよびパスワード）と、切り換え先を特定する情報（機器名やＭＡＣアドレス等）とを対応付けて、切り換え元（例えば表示装置２）に格納しておく。そして、ネットＴＶ電話の引き継ぎの際に、切り換え元で使用中のアカウントと同じアカウントが対応付けられている装置を特定し、この装置を切り換え先として自動的に決定してもよい。
【００７１】
テレビ電話制御部４２、切換制御部（参加命令送信手段、離脱手段）４３、機器検出部４４、および機器登録部４５は、携帯端末装置１の制御部１１に含まれるテレビ電話制御部２２、切換制御部２３、機器検出部２４、および機器登録部２５とそれぞれ同様の機能を有している。
【００７２】
３Ｇ／ＬＴＥ基地局４は、３ＧおよびＬＴＥ（Long Term Evolution）に対応した基地局である。携帯端末装置１は、３Ｇ／ＬＴＥ基地局４を介することによって、電話による通話、電子メール等の送受信、インターネットへの接続、およびクラウドのようなインターネット上のサービスの利用等が可能である。
【００７３】
〔切り換えの概要〕
続いて、テレビ電話転送システム５０における、ネットＴＶ電話に使用する装置の切り換えの概要について、図４に基づいて説明する。図４は、テレビ電話転送システム５０における、ネットＴＶ電話に使用する装置の切り換え態様を説明する図であり、同図（ａ）は切り換え前の状態を示し、同図（ｂ）は切り換え中の状態を示し、同図（ｃ）は切り換え後の状態を示している。なお、同図では、通話セッション（例えばＴＣＰセッション）中であるか切断中であるかをスイッチのＯＮ／ＯＦＦで示している。
【００７４】
同図（ａ）では、向かって左側の家に携帯端末装置１と表示装置２があり、右側の家には表示装置２０２がある。図示のように、携帯端末装置１と表示装置２０２との通話セッションは確立されており、表示装置２はこの通話セッションに参加していない。この状態では、携帯端末装置１と表示装置２０２とでネットＴＶ電話による通話が行われている。
【００７５】
このネットＴＶ電話に使用する装置を表示装置２に切り換えるときには、まず、同図（ｂ）に示すように、この通話セッションに表示装置２を参加させる。そして、表示装置２が通話セッションに参加した後で、携帯端末装置１を当該通話セッションから切断する。
【００７６】
これにより、ネットＴＶ電話を中断することなく、使用装置を表示装置２に切り換えることができる。なお、表示装置２から携帯端末装置１に切り換える場合には、同図（ｃ）の状態から同図（ｂ）の状態に遷移し、その後、同図（ａ）の状態に遷移する。
【００７７】
〔通信経路〕
続いて、ネットＴＶ電話で使用する通信経路について、図５および図６に基づいて説明する。図５および図６は、ネットＴＶ電話で使用する通信経路の一例を示す図であり、図５は携帯端末装置１が無線ＬＡＮを介した通信でネットＴＶ電話を行う場合の通信経路の一例を示し、図６は携帯端末装置１が３Ｇ／ＬＴＥ基地局４を介した通信でネットＴＶ電話を行う場合の通信経路の一例を示している。
【００７８】
図５の例では、携帯端末装置１および表示装置２のある場所（例えば携帯端末装置１のユーザの自宅等）と、携帯端末装置２０３のある場所（例えば携帯端末装置２０３のユーザの自宅等）とでネットＴＶ電話を行う場合の通信経路を示している。
【００７９】
携帯端末装置１および表示装置２のある場所には、これらの装置の他に、表示装置１０１、ＰＣ１０２、ＢＤ／ＨＤＤレコーダー１０３、およびルーター３が設置されている。そして、これらの装置は、何れもＬＡＮ１００に接続可能である。
【００８０】
一方、携帯端末装置２０３のある場所には、表示装置２０２とルーター２０１とが設置されている。これらの装置は、何れもＬＡＮ２００に接続可能である。そして、ルーター２０１とルーター３とは、外部ネットワークを介して通信可能である。これにより、ＬＡＮ１００に接続することによって、インターネットのような外部ネットワークを介してＬＡＮ２００に接続された装置と通信することができる。
【００８１】
携帯端末装置１を用いた携帯端末装置２０３のユーザとのネットＴＶ電話は、図示の通信経路Ａによる通信セッションを確立することによって実現される。通信経路Ａでは、携帯端末装置１が送信するデータは、携帯端末装置１からルーター３に、ルーター３からルーター２０１に伝達され、その後携帯端末装置２０３に到達する。一方、携帯端末装置１が受信するデータは、携帯端末装置２０３からルーター２０１に、ルーター２０１からルーター３に伝達され、その後携帯端末装置１に到達する。このように、通信経路Ａでは、ＬＡＮ１００を介して通信を行うため、ＮＷ選択部１５は、無線通信Ｉ／Ｆ１３を介した通信を行うことを選択する。
【００８２】
また、表示装置２を用いた携帯端末装置２０３のユーザとのネットＴＶ電話は、図示の通信経路Ｂによる通信セッションを確立することによって実現される。通信経路Ｂでは、表示装置２が送信するデータは、表示装置２からルーター３に、ルーター３からルーター２０１に伝達され、その後携帯端末装置２０３に到達する。一方、表示装置２が受信するデータは、携帯端末装置２０３からルーター２０１に、ルーター２０１からルーター３に伝達され、その後表示装置２に到達する。
【００８３】
ネットＴＶ電話に使用する装置を携帯端末装置１から表示装置２に切り換える場合、ネットＴＶ電話で使用される通信経路は、通信経路Ａから通信経路Ｂに切り換わる。同様に、ネットＴＶ電話に使用する装置を表示装置２から携帯端末装置１に切り換える場合、ネットＴＶ電話で使用される通信経路は、通信経路Ｂから通信経路Ａに切り換わる。なお、図４を参照して説明したように、切り換えの途中段階では、一時的に携帯端末装置１と表示装置２の両方がテレビ電話に参加した状態となる。
【００８４】
また、携帯端末装置１は、３Ｇ網を介してインターネットに接続することが可能であるから、図６に示すように、３Ｇ／ＬＴＥ基地局４を介してネットＴＶ電話を行うこともできる。すなわち、携帯端末装置１は、３Ｇ／ＬＴＥ基地局４およびルーター２０１を介する通信経路Ａ’によって、携帯端末装置２０３とネットＴＶ電話を行ってもよい。
【００８５】
通信経路Ａ’では、携帯端末装置１が送信するデータは、携帯端末装置１から３Ｇ／ＬＴＥ基地局４に、３Ｇ／ＬＴＥ基地局４からルーター２０１に伝達され、その後携帯端末装置２０３に到達する。一方、携帯端末装置１が受信するデータは、携帯端末装置２０３からルーター２０１に、ルーター２０１から３Ｇ／ＬＴＥ基地局４に伝達され、その後携帯端末装置１に到達する。このため、通信経路Ａ’では、携帯端末装置１はＬＡＮ１００に接続している必要がない。このように、通信経路Ａ’では、３Ｇ網を介して通信を行うため、ＮＷ選択部１５は、携帯網通信Ｉ／Ｆ１４を介した通信を行うことを選択する。
【００８６】
〔処理の流れ〕
次に、テレビ電話転送システム５０における処理の流れを図７から図９に基づいて説明する。図７は、テレビ電話転送システム５０において、ネットＴＶ電話の切り換え元が実行する処理の一例を示すフローチャートである。また、図８は、ネットＴＶ電話の切り換え元が携帯端末装置１である場合の切り換え先候補の表示例を示し、図９は、切り換え元が表示装置２である場合の切り換え先候補の表示例を示している。
【００８７】
なお、以下では、切り換え元が携帯端末装置１であるとして図７の処理を説明するが、切り換え元が表示装置２である場合は、表示装置２の切換制御部４３によって同様の処理が行われる。
【００８８】
図７に示すように、携帯端末装置１のテレビ電話制御部２２は、ネットＴＶ通話を行っている（Ｓ１）。ネットＴＶ通話中、切換制御部２３は、切り換えを実行するか否かの判定を行う（Ｓ２）。
【００８９】
本実施形態では、ユーザ操作によって切り換えを行うことを想定しているため、切換制御部２３は、切り換えを指示するユーザ操作を検出したときに、切り換えを実行すると判定する。一方、このようなユーザ操作が検出されないときには、切り換えを実行しないと判定する。
【００９０】
Ｓ２で切り換えを実行しないと判定した場合（Ｓ２でＮＯ）、切り換えを行わず、Ｓ１に戻ってネットＴＶ通話が続行される。一方、切り換えを実行すると判定した場合（Ｓ２でＹＥＳ）、切換制御部２３は、記憶部１０の接続機器情報２１に含まれる各機器を切り換え先候補として読み出して、表示部１６に表示する。
【００９１】
また、切換制御部２３は、機器検出部２４に指示して、切り換え先候補の各機器のＬＡＮ１００（図５、図６参照）への接続状態を検出させ、その検出結果を示す情報も合わせて表示する。
【００９２】
Ｓ３で表示する画像は、例えば図８のようなものであってもよい。図８の例では、表示装置２、ＰＣ１０２、およびＢＤ／ＨＤＤ１０３という３つの機器がペアリング済みリストに表示されている。なお、ＢＤ／ＨＤＤ１０３は、図５および図６のＢＤ／ＨＤＤレコーダー１０３と同じものである。
【００９３】
ペアリング済みリストに表示されている機器のうち、表示装置２については黒丸のマークが表示されており、他の装置には白丸のマークが表示されている。これらのマークは、当該機器がＬＡＮ１００に接続しているか否かを示すものである。具体的には、黒丸がＬＡＮ１００に接続していることを示し、白丸が接続していないことを示している。
【００９４】
ＬＡＮ１００に接続している機器であれば、即、切り換えの対象とすることができるので、図示の例のように、ＬＡＮ１００に接続しているか否かを表示することが好ましい。なお、ＬＡＮ１００に接続しているか否かの表示は、ユーザがこれを認識可能な態様であればよく、図示の例に限定されない。例えば、ＬＡＮ１００に接続している機器のみを表示するようにしてもよい。
【００９５】
なお、切り換え元が表示装置２である場合、Ｓ３で表示する画像は、例えば図９のようなものであってもよい。図９の例では、切り換え元が表示装置２であるから、ペアリング済みリストに表示される機器は、表示装置２とペアリングしている機器（接続機器情報４１で特定される機器）となる。
【００９６】
また、図８の例では、切り換え先を新規登録するための「新規接続初期設定」という項目が表示されている。切換制御部２３は、この項目が選択されたか否かによって、切り換え先を新規登録するか否かを判断する（Ｓ４）。この項目が選択された場合（Ｓ４でＹＥＳ）、切り換え先の登録設定に進む。なお、切り換え先の登録設定については後述する。
【００９７】
一方、この項目が選択されなかった場合（Ｓ４でＮＯ）、切換制御部２３は、表示している切り換え候補から、切り換え先が決定されたか否かを判断する（Ｓ５）。ここで、切り換え先が決定されなかったと判断した場合（Ｓ５でＮＯ）、Ｓ１に戻ってネットＴＶ通話が続行される。
【００９８】
これに対し、切り換え先が決定されたと判断した場合（Ｓ５でＹＥＳ）、決定された切り換え先にネットＴＶ電話による通話を引き継がせる切換処理を行う（Ｓ６）。切換処理の終了により、携帯端末装置１はネットＴＶ電話による通話を終了し、この後は切り換え先によってネットＴＶ電話による通話が継続される。切換処理の詳細については後述する。
【００９９】
なお、切り換えを実行する契機は、上記のようなユーザ操作に限られず、切換制御部２３が切り換えの必要があると判断したときに、切り換えを実行してもよい。例えば、携帯端末装置１が図５の通信経路ＡでネットＴＶ電話による通話を行っている場合に、携帯端末装置１の電池残量が予め定めた下限量以下となったときに、切り換えを実行してもよい。切り換え先は、表示装置２でもよいし、ネットＴＶ電話機能を有する他の装置であってもよい。
【０１００】
また、例えば、携帯端末装置１による３Ｇ網を介したネットＴＶ通話中に、携帯端末装置１の近傍に表示装置２があると判定されたときに、切り換えを実行してもよい。なお、近傍にあるか否かは、ＬＡＮ１００を介した通信が可能であることや、近距離通信Ｉ／Ｆ１２を介した通信が可能であることを検出することで判定することができる。
【０１０１】
〔切換処理〕
続いて、図７のＳ６で行われる切換処理の詳細を図１０から図１３に基づいて説明する。図１０は、切り換え元が実行する切換処理の一例を示すフローチャートであり、図１３は、切り換え先が実行する切換処理の一例を示すフローチャートである。また、図１１は、携帯端末装置１が表示するエラー画面例を示し、図１２は、表示装置２が表示するエラー画面例を示している。なお、ここでは、切り換え元が携帯端末装置１であり、切り換え先が表示装置２であるとして説明を行う。
【０１０２】
〔切り換え元による切換処理〕
切り換え元である携帯端末装置１では、まず、切換制御部２３が、ネットＴＶ通話機能の起動命令を、切り換え先である表示装置２に送信する（Ｓ１０）。具体的には、テレビ電話を提供するサービスへのログイン命令、およびカメラ３８およびマイク３９の起動命令を、無線通信Ｉ／Ｆ１３を介して送信する。
【０１０３】
なお、この際の通信設定は、接続機器情報２１に含まれる通信設定情報を参照することで特定する。また、携帯端末装置１が携帯網通信Ｉ／Ｆ１４を介してネットＴＶ通話を行っていた場合には、携帯網通信Ｉ／Ｆ１４を介して上記の命令を送信してもよい（図６の通信経路Ａ’）。そして、切り換えを行う際には、切り換え先はユーザの近傍に存在すると考えられるため、近距離通信Ｉ／Ｆ１２を介して上記の命令を送信してもよい。
【０１０４】
上記の命令に応じた処理が表示装置２において正常に行われた場合、表示装置２からその旨を示す受信確認通知（例えばＡＣＫパケット）が受信される。切換制御部２３は、この通知の受信を確認すると、ネットＴＶ通話への接続要求（例えばＳＹＮパケット）を、切り換え先である表示装置２に送信する（Ｓ１１、参加命令送信ステップ）。
【０１０５】
上記の接続要求を受信した表示装置２は、この要求を正常に受信したことを示す受信確認通知（例えばＡＣＫパケット）とネットＴＶ通話への接続要求（例えばＳＹＮパケット）とを返信するので、切換制御部２３は、これらの受信を待ち受ける（Ｓ１２）。
【０１０６】
ここで、Ｓ１１で送信した接続要求に対する受信確認通知の受信が確認できなかった場合（Ｓ１２でＮＯ）、切換制御部２３は、この受信確認通知の受信失敗の累積回数が予め定められた上限回数に達したか確認する（Ｓ１３）。上限に達していなければ（Ｓ１３でＮＯ）Ｓ１１の処理に戻って再度接続要求を送信し、上限に達していれば（Ｓ１３でＹＥＳ）エラー表示を行い（Ｓ１４）、図７のＳ１の処理に戻る。
【０１０７】
エラー表示は、切り換え先への接続に失敗したことをユーザが認識できるようなものであれば特に限定されないが、例えば図１１のような表示であってもよい。図１１の例では、切り換え先への接続に失敗したこと、元の通話セッションに戻ること、および切り換えを行うためには再度切り換えの操作が必要であることを示すメッセージが表示されている。なお、表示装置２に命令を送信する等により、同様のメッセージを表示装置２に表示させてもよい。
【０１０８】
一方、受信確認通知の受信が確認できた場合（Ｓ１２でＹＥＳ）には、切換制御部２３は、当該受信確認通知と共に受信した接続要求の受信確認通知（例えばＡＣＫパケット）を切り換え先である表示装置２に送信する。この通知を表示装置２が受信することにより、表示装置２の通話セッションへの参加が確立される。つまり、携帯端末装置１、表示装置２、およびネットＴＶ通話の通信相手装置との３つの装置による通話セッションが確立される。
【０１０９】
次に、切換制御部２３は、携帯端末装置１を３装置間の通話セッションから離脱させるため、切り換え先である表示装置２と通信相手装置とに対し、切断要求（例えばＦＩＮパケット）を送信する（Ｓ１６、離脱ステップ）。このように、接続要求および受信確認通知の送受信によって、通話セッションが確立されたと判断された後で離脱を行うことにより、切り換え時の通話途切れを確実に防ぎ、切り換えを確実に終了させることができる。なお、短時間の通話途切れが許容されるのであれば、通話セッションの確立を確認せずに、離脱を行ってもよい。
【０１１０】
上記の接続要求を受信した表示装置２および通信相手装置は、受信確認通知（例えばＡＣＫパケット）とネットＴＶ通話からの切断要求（例えばＦＩＮパケット）とを返信するので、切換制御部２３は、これらの受信を待ち受ける（Ｓ１７）。
【０１１１】
ここで、受信確認通知の受信が確認できなかった場合（Ｓ１７でＮＯ）、切換制御部２３は、Ｓ１６で送信した切断要求に対する受信確認通知の受信失敗の累積回数が予め定められた上限回数に達したか確認する（Ｓ１８）。上限に達していなければ（Ｓ１８でＮＯ）Ｓ１６の処理に戻って再度切断要求を送信する。一方、上限に達していれば（Ｓ１８でＹＥＳ）エラー表示を行い（Ｓ１９）、表示装置２に切断要求を送信して通話セッションから離脱させ、図７のＳ１の処理に戻る。エラー表示は、切り換えに失敗したことをユーザが認識できるような態様であれば特に限定されないが、例えば図１１のような画面表示であってもよい。
【０１１２】
一方、受信確認通知の受信が確認できた場合（Ｓ１７でＹＥＳ）には、切換制御部２３は、当該受信確認通知と共に受信した切断要求の受信確認通知（例えばＡＣＫパケット）を表示装置２および通信相手装置のそれぞれに送信する。この通知を表示装置２および通信相手装置がそれぞれ受信することにより、携帯端末装置１が通話セッションから離脱し（Ｓ２０）、これにより切換処理は終了する。
【０１１３】
なお、本実施形態では、テレビ電話制御部２２が、テレビ電話において３以上の機器を参加させる多者通話機能を有しており、切換制御部２３はこの機能を利用して表示装置２を通話セッションに参加させている。つまり、接続要求およびこれに対する受信確認通知の送受信を行うという上述の処理が、テレビ電話制御部２２によって行われるテレビ電話において、多者通話を行うための処理に相当する。
【０１１４】
このため、上記の例では、接続要求およびこれに対する受信確認通知の送受信を切換制御部２３が行うこととしているが、接続要求およびこれに対する受信確認通知の送受信の処理については、切換制御部２３の制御の下、テレビ電話制御部２２が行ってもよい。
【０１１５】
無論、上記の例とは異なる方法で３装置間の通話セッションを確立してもよい。ただし、本実施形態のように、既存の多者通話機能を利用する形態で３装置間の通話セッションを確立することにより、既存ＴＣＰ／ＩＰに関するＨＷ／ＳＷインフラを流用し、比較的容易に転送を実現することができるので好ましい。
【０１１６】
３装置間の通信セッションから離脱する方法についても同様であり、上記の例のように、テレビ電話制御部２２が３装置間の通信セッションから離脱する方法を、切換制御部２３が実行することによって離脱してもよいし、他の方法で離脱してもよい。また、切換制御部２３の制御の下、テレビ電話制御部２２が離脱のための切断要求の送信等を行ってもよい。
【０１１７】
なお、切り換え元が表示装置２である場合には、上述の切換処理を実行する主体が、携帯端末装置１の切換制御部２３から、表示装置２の切換制御部４３に代わるだけで、処理の内容には特に変わりがない。
【０１１８】
ただし、切り換え元が表示装置２である場合には、Ｓ１４およびＳ１９のエラー表示は、表示装置２の表示部３６にて行われる。表示部３６に表示するエラー表示の内容は、携帯端末装置１の表示部１６に表示されるものと同じであってもよく、例えば図１２のような表示を行ってもよい。
【０１１９】
図１２の例では、図１１の例と同様に、切り換え先への接続に失敗したこと、元の通話セッションに戻ること、および切り換えを行うためには再度切り換えの操作が必要であることを示すメッセージが表示されている。なお、切り換え元が表示装置２である場合も、携帯端末装置１に命令を送信する等により、同様のメッセージを携帯端末装置１に表示させてもよい。
【０１２０】
また、切り換え元が表示装置２であり、切り換え先が携帯端末装置１である場合には、切り換え後の通信経路が、３Ｇ網を介さない経路（図５の通信経路Ａ）と、介する経路（図６の通信経路Ａ’）との２通りある。このような場合には、Ｓ１１で接続要求を送信する際に、何れの通信経路を使用するかを指定する情報を送信してもよい。
【０１２１】
〔切り換え先による切換処理〕
続いて、切り換え先による切換処理について、図１３に基づいて説明する。上述のように、ここでは切り換え先が表示装置２であるとして説明を行う。
【０１２２】
まず、表示装置２の切換制御部４３は、切り換え元である携帯端末装置１から、ネットＴＶ通話機能の起動命令を受信する（Ｓ３０）。この起動命令は、図１０のＳ１０で送信されたものであり、ログイン命令とカメラ３８およびマイク３９の起動命令とを含む。
【０１２３】
次に、切換制御部４３は、これらの命令に従ってネットＴＶ通話機能を起動させる（Ｓ３１）。具体的には、切換制御部４３は、テレビ電話制御部４２を起動させ、ログイン処理を行わせる。ログイン処理は、切換制御部４３が、記憶部３０のログイン情報４０を読み出してテレビ電話制御部４２に通知し、テレビ電話制御部４２がこのログイン情報４０を用いてログインすることによって行われる。無論、テレビ電話制御部４２がログイン情報を読み出してもよい。また、切換制御部４３は、カメラ３８およびマイク３９を起動させ、映像の撮影および音声の入力受付を開始させる。さらに、切換制御部４３は、起動命令を正常に受信したことを示す受信確認通知（例えばＡＣＫパケット）を携帯端末装置１に送信する。
【０１２４】
次に、切換制御部４３は、切り換え元である携帯端末装置１から、図１０のＳ１１の処理で送信される、ネットＴＶ通話機能への接続要求を受信する（Ｓ３２）。そして、切換制御部４３は、受信した接続要求に対して、受信確認通知（例えばＡＣＫパケット）とネットＴＶ通話への接続要求（例えばＳＹＮパケット）とを返信する（Ｓ３３）。
【０１２５】
続いて、切換制御部４３は、切り換え元である携帯端末装置１から、図１０のＳ１５の処理で送信される受信確認通知（Ｓ３３で送信した接続要求に対する受信確認通知）を受信する（Ｓ３４）。これにより、表示装置２が通話セッションに加わり、３装置間の通話セッションが確立される。
【０１２６】
この後、切換制御部４３は、切り換え元である携帯端末装置１から、図１０のＳ１６の処理で送信される切断要求を受信し（Ｓ３５）、これに対する受信確認通知を返信する（Ｓ３６）。これにより、携帯端末装置１が通話セッションから外れ、表示装置２における切換処理は終了する。切換処理の終了後は、表示装置２と通信相手装置とでネットＴＶ通話が継続される。
【０１２７】
なお、切り換え先が携帯端末装置１である場合には、上述の切換処理を実行する主体が、表示装置２の切換制御部４３から、携帯端末装置１の切換制御部２３に代わるだけで、処理の内容には特に変わりがない。
【０１２８】
ただし、切り換え先が携帯端末装置１である場合には、切り換え後の通信経路が、３Ｇ網を介さない経路（図５の通信経路Ａ）と、介する経路（図６の通信経路Ａ’）との２通りある。このため、携帯端末装置１の切換制御部２３は、予め定められた設定に従って、またはユーザの選択に従って、通信経路ＡおよびＡ’の何れかに切り換えを行う。
【０１２９】
〔切り換え先の登録設定〕
次に、切り換え先の登録設定について、図１４および図１５に基づいて説明する。図１４は、機器検出を行って切り換え先を登録する例を示し、図１５は、登録先機器と直接通信して登録を行う例を示している。なお、切り換え先の登録は、無線機器におけるペアリングに相当する。
【０１３０】
図１４の例では、携帯端末装置１の機器登録部２５が、機器検出部２４に指示して無線通信Ｉ／Ｆ１３を介して無線通信可能な全機器（図５、図６のＬＡＮ１００に接続されている機器）を検出させ、検出された機器を表示部１６に表示させている。なお、表示する機器名の特定は、機器検出部２４が検出した各機器のＭＡＣアドレスと、機器名とその機器のＭＡＣアドレスとが対応付けられた対応情報とを用いて行われる。そして、この表示された機器の中から、携帯端末装置１のユーザが所望の機器を選択する。
【０１３１】
機器が選択されると、選択された機器のＭＡＣアドレスと、該機器との接続設定とを記憶部１０に接続機器情報２１として保存する。また、携帯端末装置１のＭＡＣアドレスを選択された機器に送信し、上記接続設定と共に記憶させる。例えば、選択された機器が、表示装置２であれば、携帯端末装置１のＭＡＣアドレスと接続設定とが、接続機器情報４１として保存される。このように、ＭＡＣアドレス等の通信相手を特定する情報と、接続設定とを相互に記憶させることによってペアリングが成立する。なお、接続機器情報２１および接続機器情報４１は、ＲＯＭのような不揮発性の記憶部に保存する。
【０１３２】
図１５の例では、携帯端末装置１を、登録対象機器である表示装置２に近接させ、近距離通信によって登録を行っている。この場合、近距離通信Ｉ／Ｆ１２を介した通信によりペアリングが行われる。具体的には、表示装置２のＭＡＣアドレスを取得し、携帯端末装置１と表示装置２との接続設定を記憶部１０に接続機器情報２１として保存する。また、携帯端末装置１のＭＡＣアドレスを表示装置２に送信し、上記接続設定と共に、記憶部３０に接続機器情報４１として保存させる。近距離通信Ｉ／Ｆ１２を介した通信により登録を行う場合、ユーザがリストから機器を選ぶ必要がないという利点がある。
【０１３３】
〔変形例〕
上記の例では、切り換えの前後でネットＴＶ通話を同様の態様で継続しているが、切り換え前、切り換え中、および切り換え後における通話の態様は異なっていてもよい。
【０１３４】
例えば、携帯端末装置１によるネットＴＶ電話で、映像の送受信は行わず、通話のみを行うことも考えられる。そして、このような場合に、表示装置２への切り換えが行われたときには、ユーザは映像を含めた通話を所望していると考えられる。このため、このような場合に切り換えが行われたときには、自動的にあるいはユーザの選択により、切り換え後は映像の送受信を行いながら通話してもよい。
【０１３５】
また、携帯端末装置１を持って移動しながらのＴＶ電話は難しい場合もあると考えられる。このため、表示装置２でネットＴＶ電話による通話を行っているときに、携帯端末装置１への切り換えを行った場合には、自動的にあるいはユーザの選択により、切り換え後は音声のみの通話としてもよい。
【０１３６】
また、例えば、図８の例のように、画面が比較的小さい表示部１６では、ペアリング済みリストとネットＴＶ通話の相手装置からの映像とを同時に表示すると視認性が悪化する。このため、切り換え中は、ネットＴＶ通話の相手装置からの映像の表示を一時停止し、音声通話のみを行うようにしてもよい。一方、図９の例のように、画面が十分大きい表示部３６の場合には、ペアリング済みリストとネットＴＶ通話の相手装置からの映像とを同時に表示してもよい。
【０１３７】
また、上記では、携帯端末装置１がスマートフォンであり、表示装置２がテレビである例を説明したが、本発明を適用可能な機器はこれらの例に限られず、通信相手装置と通話セッションを確立して通信する機能を有する任意の機器に適用が可能である。
【０１３８】
例えば、携帯端末装置１は、上記の機能を有するタブレット端末、ノートＰＣ、携帯型テレビ、および携帯型ゲーム機等であってもよい。また、上記では携帯型の携帯端末装置１と、据え置き型の表示装置２とで切り換えを行う例を示したが、切り換え対象となる機器の両方が携帯型であってもよいし、両方が据え置き型であってもよい。
【０１３９】
また、上記では、ネットＴＶ電話を行う例を示したが、通信相手装置と通話セッションを確立して行う通信は、ネットＴＶ電話に限られない。例えば、専用回線を介して行う通話セッションを、携帯端末装置１と表示装置２とで相互に切り換えて行うことも可能である。
【０１４０】
そして、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４１】
〔ソフトウェアによる構成例〕
最後に、携帯端末装置１および表示装置２の各ブロック、特に制御部１１および制御部３１は、集積回路（ＩＣチップ）上に形成された論理回路によってハードウェア的に実現してもよいし、ＣＰＵ（Central Processing Unit）を用いてソフトウェア的に実現してもよい。
【０１４２】
後者の場合、携帯端末装置１および表示装置２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯端末装置１および表示装置２の制御プログラムのプログラムコード（実行形式プログラム、中間コードプログラム、ソースプログラム）をコンピュータで読み取り可能に記録した記録媒体を、携帯端末装置１および表示装置２に供給し、そのコンピュータ（またはＣＰＵやＭＰＵ）が記録媒体に記録されているプログラムコードを読み出し実行することによっても、達成可能である。
【０１４３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１４４】
また、携帯端末装置１および表示装置２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４５】
本発明は、テレビ電話等の通信セッションを行う装置に利用することができる。
【符号の説明】
【０１４６】
１  携帯端末装置（通信装置、切換先装置）
１０  記憶部
２３  切換制御部（参加命令送信手段、離脱手段）
２  表示装置（通信装置、切換先装置）
３０  記憶部
４３  切換制御部（参加命令送信手段、離脱手段）
【図１】
2013093776.tif 000003
【図２】
2013093776.tif 000004
【図３】
2013093776.tif 000005
【図４】
2013093776.tif 000006
【図５】
2013093776.tif 000007
【図６】
2013093776.tif 000008
【図７】
2013093776.tif 000009
【図８】
2013093776.tif 000010
【図９】
2013093776.tif 000011
【図１０】
2013093776.tif 000012
【図１１】
2013093776.tif 000013
【図１２】
2013093776.tif 000014
【図１３】
2013093776.tif 000015
【図１４】
2013093776.tif 000016
【図１５】
2013093776.tif 000017